(57)【要約】【課題】スケジュールを構成する図形や文字などを表示部に表示するスケジュール表示装置において、メンテナンスの手間がかからず、大画面であっても機構を単純にできるものを提供する。【解決手段】所定の複数の枠内の定型に線図により表現される暦と、前記所定の枠とは別の所定の複数の枠内に任意に入力表示可能な不定形の線図と、を少なくとも表示するスケジュール表示装置１であって、前記スケジュール表示装置１の前記不定形の線図を入力表示する枠内の箇所は、分散媒１０と前記分散媒１０中に浮遊する電気泳動粒子１１とが封入され、二次元的に配置されたカプセル５と、前記カプセル５の配置面を被う弾性板７と、前記カプセル５の配置面の両面を挟み、電界を加える第一及び第二の電極６と、前記弾性板７を押圧可能な筆記棒９と、を有する。【選択図】図１
2007298730.tif 000002
【特許請求の範囲】
【請求項１】
所定の複数の枠内に定型の線図により表現される暦と、
前記所定の枠とは別の所定の複数の枠内に任意に入力表示可能な不定形の線図と、
を少なくとも表示するスケジュール表示装置であって、
前記スケジュール表示装置の前記不定形の線図を入力表示する枠内の箇所は、
分散媒と前記分散媒中に浮遊する電気泳動粒子とが封入され、二次元的に配置されたカプセルと、
前記カプセルの配置面を被う弾性板と、
前記カプセルの配置面の両面を挟み、電界を加える第一及び第二の電極と、
前記弾性板を押圧可能な筆記棒と、
を有する、スケジュール表示装置。
【請求項２】
前記第一及び第二の電極の少なくともいずれかの一方の側の電極は、前記不定形の線図を入力表示する枠内の箇所毎に独立に分割されている請求項１記載のスケジュール表示装置。
【請求項３】
前記表示装置の定型の線図により表現される暦が表示される枠内の箇所は液晶表示素子である請求項１又は請求項２に記載のスケジュール表示装置。
【発明の詳細な説明】
【技術分野】
【０００１】
本発明は、スケジュールを構成する図形や文字などを表示部に表示するスケジュール表示装置に関するものであり、特にスケジュール表示装置の表示部に対して文字や図形などを手書き入力が可能なスケジュール表示装置に関するものである。
【背景技術】
【０００２】
スケジュールを構成する図形や文字などを任意的に手書きで書き込むことができるものとして、黒板や、ホワイトボードなどの表示板がある。例えば黒板からなる表示板の場合は、無地の黒板に日付や実際のスケジュールを記入する欄を設けるために枠と、枠内の暦の日付をペンキなどで描く。そして、スケジュールを記入する欄はチョークで任意の図形や文字などを記入、消去できるようにする。ホワイトボードからなる表示板の場合も同様に、枠や暦の日付は消すことのできないインクなどで描き、スケジュールを記入する欄は水性ペンで任意の図形や文字などを記入、消去できるようにする。
【０００３】
黒板やホワイトボードなどは、原則として所定の場所に設置されるため個人的に持ち運びはできない。しかし、近年、液晶パネルなどの素子でコンピュータからの情報を表示する表示部を構成し、表示部の表面に指や専用の筆記棒で圧力を加えることにより、画面上に入力された位置情報を処理して指定の動作を提供する機構（大抵はコンピュータによって処理される）へと伝達、その機構から制御される他の機構の機能を使って、指定の動作をさせる電子手帳やＰＤＡ（Ｐｅｒｓｏｎａｌ  Ｄｉｇｉｔａｌ  Ａｓｓｉｓｔａｎｔ）がある。
【０００４】
また、これらの電子手帳やＰＤＡは、表示部の表面に筆記棒で圧力を加える際に、文字や図形を描くようにすると、その文字を表示部に表示したり、その文字を活字体に変換して表示されるものもある。
【０００５】
上記指定の動作を提供する機構の例として、ペンタブレットやタッチパネル、そして、特許文献１に記載されているような電気泳動粒子と分散媒からなる分散系が封止されたマイクロカプセルによってなり、電界の作用によって電気泳動粒子を移動させ、自身が発光しない受光型いわゆる反射型の電気泳動表示を行う表示部と、この表示部の裏面に強磁性材または常磁性材の磁性層が裏打ちするように添設された２層構造とし、書込みと消去は電界を形成させる共通電極と入力ペン間に印加した電位差によって行うものがある。
【０００６】
【特許文献１】特開２０００−０４７２６６号公報
【発明の開示】
【発明が解決しようとする課題】
【０００７】
黒板やホワイトボードでは、通常暦の日付は一月分の日数しか描かれておらず、月が替わるごとに、前月までに書き込み済みのスケジュールを一旦全て消す必要があった。その際に黒板消しで黒板をこするとチョークの粉が飛散したり、また、ホワイトボード用イレーサーでホワイトボードをこすると、消しカスが発生する恐れがある。そのために、黒板消しやホワイトボード用イレーサーを定期的に手入れする必要があり、その手間がかかるという問題があった。
【０００８】
また、電子手帳やＰＤＡにおいて、表示部の表面に指や専用の筆記棒で圧力を加えることにより、画面上に入力された位置情報を処理して指定の動作を提供する機構は、コンピューターによる処理によって実現されるものである。すなわち、表示部表面のセンサで検知した筆記棒の圧力の軌跡をコンピュータで追跡しながら、追跡した情報に基づいてさらに、表示部の画面に表示させるような処理をコンピュータで行い、処理結果に基づいて表示部の画面に文字などを表示させる。こういった処理は、複雑であり、表示部の画面が大きくなるほど、コンピュータの処理能力が求められコストの増大につながる。そのため、大画面化には不向きである。
【０００９】
本発明が解決しようとする課題は、スケジュールを構成する図形や文字などを表示部に表示するスケジュール表示装置において、メンテナンスの手間がかからず、大画面であっても機構を単純にできるものを提供することを目的とする。
【課題を解決するための手段】
【００１０】
本発明は、所定の複数の枠内の定型に線図により表現される暦と、前記所定の枠とは別の所定の複数の枠内に任意に入力表示可能な不定形の線図と、を少なくとも表示するスケジュール表示装置であって、前記スケジュール表示装置の前記不定形の線図を入力表示する枠内の箇所は、分散媒と前記分散媒中に浮遊する電気泳動粒子とが封入され、二次元的に配置されたカプセルと、前記カプセルの配置面を被う弾性板と、前記カプセルの配置面の両面を挟み、電界を加える第一及び第二の電極と、前記弾性板を押圧可能な筆記棒と、を有する。
【００１１】
好適には、前記第一及び第二の電極の少なくともいずれかの一方の側の電極は、前記不定形の線図を入力表示する枠内の箇所毎に独立に分割されている。
【００１２】
さらに好適には、前記表示装置の定型の線図により表現される暦が表示される枠内の箇所は液晶表示素子である。
【発明の効果】
【００１３】
本発明のスケジュール表示装置は、メンテナンスの手間がかからず、機構を単純にすることができる。
【発明を実施するための最良の形態】
【００１４】
本発明に係るスケジュール表示装置１について図面を参照しながら説明する。
図１は、スケジュール表示装置１の斜視図を示したものであり、スケジュール表示装置１は、例えばキャスター付の２本の支柱（符号なし）で、表示部２の両側面を支える形式をなしている。そして、図示はしていないが、表示部２の下部の裏面には、表示部２の表示を制御する制御部が備えられている。
【００１５】
図２は、図１に示したスケジュール表示装置１の表示部２の平面図を示したものである。
図２に示したように、表示部２は、複数の枠を２次元的に並べたものであり、その枠の中には、例えば、日にちを表示する暦表示部３やスケジュール表示部４が割り当てられている。
【００１６】
図２に示した表示部２では、横方向に一月分の日にちが記載された複数の暦表示部３の枠が並べられ、各暦表示部３の下には、スケジュール表示部４の枠が並べられている。
暦表示部３に表示される日にちは所定の字体からなっており、暦に変化が無い限り常時同一の表示がされるようになっている。また、スケジュール表示部４の枠は通常は空白になっており、後で説明するように、その枠には任意の不定形な線図を書き込み表示可能となっている。
【００１７】
図２に示した表示部２において、暦表示部３には既に２００６年１月の日付の１〜３１までが既に表示されており、さらに、休日に該当する箇所には枠の上部のラインが強調され、休日であることがわかるようにしている。また、スケジュール表示部４には、いくつかの予定が（元日、仕事始め、七草粥、成人の日、月次報告会）が書き込みにより既に表示されている。なお、各スケジュール表示部４は、暦表示部３の日付毎に対応した独立したモジュールとなっている。
【００１８】
図２に示したスケジュール表示部４は、スケジュールを構成する図形や文字などの線図を任意的に手書きで書き込むことができるようになっている。このため、スケジュール表示部４は、電気泳動粒子を分散媒中に浮遊させるカプセルを使用する。
【００１９】
図３に、スケジュール表示部４の断面図を示した。
スケジュール表示部４は、そのスケジュール表示部４の表示面の全面にわたって２次元的にカプセル５を配置するようにしている（図３では２次元的に配置されているカプセルのうち一次元の方向に配列されたカプセル５を示している）。そして、２次元的に配置されたカプセル５の配置面は弾性板７で覆われている。
【００２０】
また、２次元的に配置されたカプセル５の上下方向に電界を加えるために、上部電極６ａと下部電極６ｂとで、カプセル５の配置面の両側を挟んでいる。なお、図３に示したスケジュール表示部４においては、上部電極６ａは二次元的に配置されたカプセル５の全面を覆うように一枚の透明な電極６ａからなっているが、下部電極６ｂは二次元的に配置されたカプセル５のそれぞれに個別に電界を加えることができるように、各カプセル５毎に独立した電極となっている。
【００２１】
このことは、表示部２において複数並べられたスケジュール表示部４の下部電極６ｂが、表示部２に二次元的に並べられた枠内の箇所ごとに独立に分割されていることをも意味する。
【００２２】
下部電極６ｂにおいて、カプセル５のそれぞれに個別に電界を加えるために、各下部電極６ｂに対しては、配線を通じてコントローラ８が接続される。コントローラ８は、例えば図１に示したスケジュール表示装置１の表示部２の下部の裏面に内蔵し、半導体集積回路により構成されたものとする。
【００２３】
また、上部電極６ａと下部電極６ｂとは、配線を通して電源が接続されており、上部電極６ａと下部電極６ｂの間に電界が加わるようにする。なお、図３に示したスケジュール表示部４において、表示面は上部電極６ａの面側であり、この面に対して、筆記棒９を接触させるようにする。
【００２４】
図３に示したスケジュール表示部４を構成するカプセル５についてさらに説明するため、二次元的に配置されたカプセル５のうち一つについての断面図を図４（ａ）に示した。カプセル５の内部には分散媒１０と帯電した複数個の電気泳動粒子１１とが封入されている。なお、表示部２を白黒表示させるためには、分散媒１０の色を白色とし、電気泳動粒子１１を黒色とする。
【００２５】
図４（ａ）に示したカプセル５の上面には透明な弾性板７と上部電極６ａで順に被い、カプセル５の下面には下部電極６ｂで被われている。ここで、電気泳動粒子１１をマイナスに帯電させ、上部電極６ａにプラスの電圧、下部電極６ｂにマイナスの電圧を加えると、電界Ｅaが発生し、電気泳動粒子１１は上部電極６ａの側に移動しようとする。しかし、電界Ｅaの強度が十分でない場合は、電気泳動粒子１１は上部電極６ａ側に移動せず、下部電極６ｂの側にとどまったままになる。そのため、表示面側の上部電極６ａの側から見ると、白色に見える。
【００２６】
ところが、図４（ａ）の状態において、筆記棒９で上部電極６ａに力を加えると、図４（ｂ）に示したように弾性板７は薄くなる。そのため、上部電極６ａと下部電極６ｂ間の距離が縮まり、これらの電極間の電界Ｅbは強くなり、Ｅb＞Ｅaとなる。そうすると、帯電した電気泳動粒子１１は上部電極６ａの側に移動する。電気泳動粒子１１は、黒色に着色されているので、表示面側の上部電極６ａの側から見ると、黒色に見える。
【００２７】
図４では、スケジュール表示部４を構成する二次元的に配置された複数のカプセル５のうち一つのカプセル５に着目して、表示面の色が変化することについて説明した。しかし、図３において、筆記棒９を滑らすようにカプセル５の上面に覆われた上部電極６ａに力を加えていった場合であっても、力を加えられた箇所の表示面を黒色に変化させることができる。
【００２８】
このように、表示装置１の表示部２に対して筆記棒９で押圧しながらなぞることで、筆記棒９をなぞった表示部２の痕跡を黒くすることができる。すなわち、図形や文字などをスケジュール表示部４に対して任意的に手書きで書き込むことができるようになる。
【００２９】
さらに、筆記棒９は表示装置１と電気的に接続する電線が接続されていない独立したものであるため、筆記の際に、その電線に邪魔されることなく、通常の筆記具を使用するように快適な使用感を得ることができる。また、筆記棒９を表示部２に押圧させてなぞることにより、なぞった箇所の痕跡を黒くすることができるようになっているが、その原理は上記のようにタッチパネルのような電子的な制御を行っていない。そのため、表示部２の機構を単純にすることができる。
【００３０】
なお、図２に示した表示部２の暦表示部３は、２００６年１月の日付の１〜３１日までが既に表示されている。しかし、スケジュール表示装置１の暦表示部３の表示を月が変わるごとに変更できるようにすれば、スケジュール表示装置１を何年にもわたって使用することができる。
【００３１】
例えば、暦表示部３に液晶表示素子を用い、スケジュール表示装置１の制御部のメモリーにカレンダーのデータを内蔵させておけば、月が変わるごとに暦表示部３の日付の表示を変化させる制御を行わせることができる。すなわち、暦表示部３の日付を表示するための数字に対応するパターンの液晶電極を形成し、月が変わるごとに液晶電極に加える電圧のかけ方を変化させればよい。
【００３２】
さらに休日に該当する箇所の暦表示部３の枠の上部のラインが強調されるように、当該ラインに対応するパターンの液晶電極を形成する。そして、月が変わって、暦表示部３に表示される日付が変わった場合に、休日に当たる日の暦表示部３の枠の上部のラインが強調されるような表示をさせる。
以上の方法は通常の液晶表示素子の表示において使用する方法を適用することができる。
【００３３】
なお、図３に示したように、下部電極６ｂは二次元的に配置されたカプセル５のそれぞれに個別に電界を加えることができるように、各カプセル５毎に独立した電極となっている。そのため、上記のように文字や図形をスケジュール表示部４に書き込んだ箇所のうち、特定の箇所のみを消去したい場合は、その箇所のみの下部電極６ｂに加える電圧を変化させることで、いったん上部電極６ａの側に移動した電気泳動粒子１１を再び下部電極６ｂの側に移動させることができる。
【００３４】
こうすることにより、一旦書き込みが行われたスケジュール表示部４の箇所の図形や文字などを消去することができる。かかる消去は、黒板やホワイトボードなどのように、黒板消しやホワイトボード用イレーサーを使用しないので、これらの手入れが不要であり、メンテナンスの手間がかからない。なお、特定箇所のみの下部電極６ｂに加える電圧を変化させる制御は、コントローラ８が行う。スケジュール表示部４に一旦書き込みが行われた図形や文字を消去することができるようにすることで、誤書き込みや、後のスケジュール変更があった場合に、再度の書き込みができるようになる。
【００３５】
また、上記のように、暦表示部３の日付の表示を変化させた場合に、スケジュール表示部４に書き込まれた図形や文字を全て消去する制御を行うこともできる。さらに、コントローラ８において、上部電極６ａと下部電極６ｂの間に加わる電圧の極性を反転させる制御を行うことで、スケジュール表示部４の白黒表示を黒白表示に反転表示させることもできる。
【００３６】
スケジュール表示部４に書き込まれた図形や文字を全て消去する制御や、スケジュール表示部４の反転表示をさせる場合は、図５に示したように下部電極６ｂは、各日ごとにスケジュール表示部４の枠に対応した分割電極となるようにすることが望ましい。そのようにすることで、スケジュール表示部４における書き込みを、日ごとに消去させることができるようになる。
【００３７】
上述した説明では、暦表示部３の日付の表示は、月が変わるごとに変化するようになっていた。しかし、暦表示部３の日付の表示は、日が変わるごとに、又は、週が変わるごとに変化させることもできる。
【００３８】
そこで、図２に示したスケジュール表示装置１における表示部２の暦表示部３の表示を、日が変わるごとに、又は、週が変わるごとに変化させるようにした場合は、表示が変化するたびに、日の文字の位置が左にシフトしていくようにしてもよい。
【図面の簡単な説明】
【００３９】
【図１】本発明に係るスケジュール表示装置の斜視図である。
【図２】本発明に係るスケジュール表示装置の表示部の平面図である。
【図３】本発明に係るスケジュール表示装置のスケジュール表示部の断面図である。
【図４】本発明に係るスケジュール表示装置のスケジュール表示部を構成する一つのカプセルについての断面図である。
【図５】本発明に係るスケジュール表示装置のスケジュール表示部の下部電極のパターンを示す平面図である。
【符号の説明】
【００４０】
１…スケジュール表示装置，  ２…表示部，  ３…暦表示部，  ４…スケジュール表示部，  ５…カプセル，  ６…電極，  ７…弾性板，  ８…コントローラ，  ９…筆記棒，  １０…分散媒，  １１…電気泳動粒子
【図１】
2007298730.tif 000003
【図２】
2007298730.tif 000004
【図３】
2007298730.tif 000005
【図４】
2007298730.tif 000006
【図５】
2007298730.tif 000007
【手続補正書】
【提出日】平成18年5月25日(2006.5.25)
【手続補正１】
【補正対象書類名】図面
【補正対象項目名】図４
【補正方法】変更
【補正の内容】
【図４】
2007298730.tif 000008